(57)【要約】【課題】遊技機の遊技盤に配線コードを一体に有する部品を組付ける際に、部品を遊技盤の所定位置に確実に位置決めして保持することができる遊技機の部品組付装置を得る。【解決手段】部品組付装置１０では、配線コード８８を遊技盤５２の前面側から取付孔８０に挿通させる。ここで、遊技盤５２の裏面側には保持パイプ２４の先端開口部２８が配置されているので、取付孔８０に挿通される配線コード８８は、保持パイプ２４の内部に引き込まれる。そして、配線コード８８を一体に有する入賞口６０も、遊技盤５２の裏面側から引き込まれて遊技盤５２の所定位置に位置決めされる。保持パイプ２４は屈曲しているので、配線コード８８が保持パイプ２４の内壁に干渉して摩擦を生じ、配線コード８８の保持パイプ２４からの抜け出しが防止され、入賞口６０が遊技盤５２の所定位置に保持される。【選択図】    図２
2004160087.tif 000002
【特許請求の範囲】
【請求項１】
板厚方向に貫通した取付孔を有する遊技盤と、
配線コードを一体に有し、前記遊技盤の前面側から裏面側へ向かって前記配線コードが先端側から前記取付孔に挿通され、前記遊技盤の前面側の所定位置に位置決めされて固定される部品と、
を有する遊技機に適用され、前記部品を前記遊技盤に組付けるための部品組付方法において、
前記遊技盤が前面側を上に向けた状態で載置される組付治具を設けると共に、
前記取付孔に挿通される前記配線コードを前記遊技盤の裏面側から強制的に引き込んで前記部品を前記所定位置に位置決めして保持する引込保持手段を、前記組付治具に載置された前記遊技盤の裏面側に対応して前記組付治具に設け、
前記遊技盤を前面側が上に向いた状態で前記組付治具に載置し、
前記配線コードを前記遊技盤の前面側から前記取付孔に挿通しながら、前記引込保持手段によって、前記遊技盤の裏面側から前記配線コードを強制的に引き込んで、前記部品を前記所定位置に位置決めして保持し、
しかる後に、前記保持状態で前記部品を前記所定位置に固定する、
ことを特徴とする遊技機の部品組付方法。
【請求項２】
板厚方向に貫通した取付孔を有する遊技盤と、
配線コードを一体に有し、前記遊技盤の前面側から裏面側へ向かって前記配線コードが先端側から前記取付孔に挿通され、前記遊技盤の前面側の所定位置に位置決めされて固定される部品と、
を有する遊技機に適用され、前記部品を前記遊技盤に組付けるための部品組付装置において、
前記遊技盤が前面側を上に向けた状態で載置される組付治具と、
前記組付治具に載置された前記遊技盤の裏面側に対応して前記組付治具に設けられ、前記取付孔に挿通される前記配線コードを前記遊技盤の裏面側から強制的に引き込んで前記部品を前記所定位置に位置決めして保持する引込保持手段と、
を備えたことを特徴とする遊技機の部品組付装置。
【請求項３】
前記引込保持手段は、
上下両端が開口し長手方向中間部が屈曲する筒状に形成され、前記組付治具に載置された前記遊技盤の前記取付孔に対向して先端開口部が配置されるダクトと、
前記ダクトの基端開口部に連結可能に設けられ、前記基端開口部に連結した状態で、前記取付孔に挿通された前記配線コードを前記ダクトの内壁に沿わせて吸引する吸引機と、
で構成される、ことを特徴とする請求項２記載の遊技機の部品組付装置。
【請求項４】
前記ダクトの内側に設けられ、前記ダクトに引き込まれた前記配線コードに接触して前記配線コードの前記ダクトからの抜け出しを防止する抜出防止手段を有する、
ことを特徴とする請求項３記載の遊技機の部品組付装置。
【発明の詳細な説明】
【０００１】
【発明の属する技術分野】
本発明は、パチンコ機等の遊技機に適用される部品組付方法及び部品組付装置に関する。
【０００２】
【従来の技術】
例えば、遊技機としてのパチンコ機においては、遊技盤を備えている。遊技盤の中央部分においては、所定の部品（例えば、所謂デジタルや入賞口等の電気的な機能を有する部品）が、遊技盤の前面側の所定位置に位置決めされて、ネジ等により固定されている。
【０００３】
このような電気的な機能を有する部品には、底部裏面側（遊技盤と対向する側）において先端にコネクタを有する配線コードが接続されており、遊技盤の裏面側に配置される他の電子機器と接続される。このため、このような部品を固定する遊技盤の所定位置には、遊技盤を板厚方向に貫通した取付孔が形成されている。この取付孔に、部品の配線コードがコネクタの側から挿通されて遊技盤の裏面側へ抜けた状態で、部品が遊技盤の前面側の所定位置に位置決めされて固定されるようになっている。
【０００４】
そして、このような部品の遊技盤への組付は、部品を遊技盤の所定位置に位置決めする位置決め工程と、位置決めされた部品を遊技盤にネジ等により固定する固定工程の２工程に分けて行われている。そしてこれらの工程は、ベルトコンベアの搬送ベルト上に配置された、底壁と側壁とを有して上部が開口した箱状の組付治具に、遊技盤が前面側を上に向けて載置された状態で連続して行われる。
【０００５】
ここで、図６（Ａ）及び図６（Ｂ）には部品が遊技盤に位置決めされる過程が部分断面図により示されている。
【０００６】
先ず、図６（Ａ）に示す如く、遊技盤１００が前面側を上に向けて組付治具１０１（底壁のみ図示）に載置された状態で、遊技盤１００に形成された部品取り付け用の取付孔１０２に、部品１０４の配線コード１０６がコネクタ１０８の側から挿通されることで、部品１０４が遊技盤１００の前面側に当接する（図６（Ｂ）図示状態）。このとき、部品１０４を正確に位置決めするために、部品１０４の遊技盤１００との対向面には、位置決め用のボス１１０が突出して形成されており、そのボス１１０に対応して、遊技盤１００の前面側には、位置決め用の位置決め孔１１２が形成されている。これにより、部品１０４のボス１１０を遊技盤１００の位置決め孔１１２に嵌め込むことで、部品１０４が遊技盤１００の所定位置に正確に位置決めされる。
【０００７】
そして、全ての部品が遊技盤１００に位置決めされると、ベルトコンベアが作動して、遊技盤１００は組付治具１０１と共に固定工程の位置に搬送される。この固定工程の位置には、自動ネジ締め機（例えば、特許文献１参照）が設置されている。この自動ネジ締め機によって、遊技盤１００に位置決めされた部品のネジ孔にネジが自動的に供給されて締結され、部品が遊技盤１００に固定される。
【０００８】
ところで、このような電気的な機能を有する部品には様々な大きさや重さのものがある。大物の部品の場合には、部品が遊技盤の所定位置に位置決めされてからネジ止め加工が終了するまでの間、自重により所定位置に位置決めされた状態を保つことができる。しかしながら、図６（Ｃ）に示す如く、小物の部品１０４の場合には重量が軽いため、ベルトコンベアでの搬送中等に、遊技盤１００の所定位置から浮き上がり位置ズレを生じることがあった。
【０００９】
また、図７（Ａ）乃至図７（Ｃ）に示す如く、部品に接続された配線コードが、組付治具の深さに比べて長い場合には、配線コードやコネクタが組付治具の底面に干渉して、部品が遊技盤の所定の位置から浮き上がり位置ズレを生じることもあった。
【００１０】
ここで、図７（Ａ）には、配線コード１１４のコネクタ１１６の先端が組付治具１０１の底面に当接して、部品１０４が遊技盤１００の所定位置から浮き上がった状態が示されている。また、図７（Ｂ）には、配線コード１１８のコネクタ１２０の先端が組付治具１０１の底面に接触して配線コード１１８が折れ曲がり、部品１０４が遊技盤１００の所定位置から斜めに浮き上がった状態が示されている。さらに、図７（Ｃ）には、配線コード１２２が、組付治具１０１の底面に接触してコネクタ１２４を上に向けてＵ字状に折れ曲がり、部品１０４が遊技盤１００の所定位置から斜めに浮き上がった状態が示されている。
【００１１】
このように、部品が所定の位置から位置ズレを生じたままで、自動ネジ締め機によりネジ止め加工が行われると、ネジが遊技盤に曲がった状態で螺挿される等して、部材を適正に締結することができなくなるので、部品が破損したり遊技盤自体が不良品になる可能性があった。
【００１２】
【特許文献１】
特開２００２−１７８２３１公報
【００１３】
【発明が解決しようとする課題】
本発明は、上記事実を考慮して、遊技機の遊技盤に配線コードを一体に有する部品を組付ける際に、部品を遊技盤の所定位置に確実に位置決めして保持することができる遊技機の部品組付方法及び装置を得ることが目的である。
【００１４】
【課題を解決するための手段】
上記目的を達成するために、請求項１記載の発明に係る遊技機の部品組付方法は、板厚方向に貫通した取付孔を有する遊技盤と、配線コードを一体に有し、前記遊技盤の前面側から裏面側へ向かって前記配線コードが先端側から前記取付孔に挿通され、前記遊技盤の前面側の所定位置に位置決めされて固定される部品と、を有する遊技機に適用され、前記部品を前記遊技盤に組付けるための部品組付方法において、前記遊技盤が前面側を上に向けた状態で載置される組付治具を設けると共に、前記取付孔に挿通される前記配線コードを前記遊技盤の裏面側へ強制的に引き込んで前記部品を前記所定位置に位置決めして保持する引込保持手段を、前記組付治具に載置された前記遊技盤の裏面側に対応して前記組付治具に設け、前記遊技盤を前面側が上に向いた状態で前記組付治具に載置し、前記配線コードを前記遊技盤の前面側から前記取付孔に挿通しながら、前記引込保持手段によって、前記遊技盤の裏面側から前記配線コードを強制的に引き込んで、前記部品を前記所定位置に位置決めして保持し、しかる後に、前記保持状態で前記部品を前記所定位置に固定する、を備えたことを特徴としている。
【００１５】
請求項１記載の遊技機の部品組付方法では、部品の配線コードを遊技盤の前面側から取付孔に挿通させながら、この配線コードは、引込保持手段によって、遊技盤の裏面側から強制的に引き込まれる。これにより、配線コードを一体に有する部品も、遊技盤の裏面側から引き込まれ、遊技盤の前面側の所定位置に位置決めされて保持される。そして、しかる後に、部品が所定位置に保持された状態で、遊技盤の所定位置に部品を固定する。
【００１６】
すなわち、「引込保持手段によって、部品の配線コードを遊技盤の裏面側から強制的に引き込む」という作業を行えば、配線コードを一体に有する部品を遊技盤の前面側の所定位置に強制的に位置決めすることができる。しかも、部品が所定位置に位置決めされて仮保持された状態で、次工程のネジ止め工程に送ることができる。これにより、所定位置に正確に位置決めされて保持された部品が遊技盤に固定されることになり、部品が破損したり遊技盤自体が不良品になることがない。
【００１７】
このように、請求項１記載の遊技機の部品組付方法では、遊技機の遊技盤に配線コードを一体に有する部品を組付ける際に、部品を遊技盤の所定位置に確実に位置決めして保持することができる。
【００１８】
請求項２記載の発明に係る遊技機の部品組付装置は、板厚方向に貫通した取付孔を有する遊技盤と、配線コードを一体に有し、前記遊技盤の前面側から裏面側へ向かって前記配線コードが先端側から前記取付孔に挿通され、前記遊技盤の前面側の所定位置に位置決めされて固定される部品と、を有する遊技機に適用され、前記部品を前記遊技盤に組付けるための部品組付装置において、前記遊技盤が前面側を上に向けた状態で載置される組付治具と、前記組付治具に載置された前記遊技盤の裏面側に対応して前記組付治具に設けられ、前記取付孔に挿通される前記配線コードを前記遊技盤の裏面側から強制的に引き込んで前記部品を前記所定位置に位置決めして保持する引込保持手段と、を備えたことを特徴としている。
【００１９】
請求項２記載の遊技機の部品組付装置では、配線コードを一体に有する部品を、遊技盤の前面側の所定位置に位置決めして固定する際には、遊技盤を前面側が上に向いた状態で組付治具に載置し、部品の配線コードを遊技盤の前面側から取付孔に挿通させる。ここで、遊技盤の裏面側には、引込保持手段が設けられている。このため、取付孔に挿通される配線コードは、引込保持手段によって、遊技盤の裏面側から強制的に引き込まれる。これにより、配線コードを一体に有する部品も、遊技盤の裏面側から引き込まれ、遊技盤の前面側の所定位置に位置決めされて保持される。
【００２０】
すなわち、組付治具に引込保持手段を設けることによって、遊技盤を組付治具に載置して、部品の配線コードを取付孔に挿通させるだけで、部品が遊技盤の所定位置に位置決めされて仮保持される。これにより、遊技盤が載置された組付治具ごと、次工程のビス止め工程に送れば、所定位置に正確に位置決めされて仮保持された部品が遊技盤に固定されることになり、部品が破損したり遊技盤自体が不良品になることがない。
【００２１】
このように、請求項２記載の遊技機の部品組付装置では、遊技機の遊技盤に配線コードを一体に有する部品を組付ける際に、部品を遊技盤の所定位置に確実に位置決めして保持することができる。
【００２２】
請求項３記載の発明に係る遊技機の部品組付装置は、請求項２記載の遊技機の部品組付装置において、前記引込保持手段は、上下両端が開口し長手方向中間部が屈曲する筒状に形成され、前記組付治具に載置された前記遊技盤の前記取付孔に対向して先端開口部が配置されるダクトと、前記ダクトの基端開口部に連結可能に設けられ、前記基端開口部に連結した状態で、前記取付孔に挿通された前記配線コードを前記ダクトの内壁に沿わせて吸引する吸引機と、ことを特徴としている。
【００２３】
請求項３記載の遊技機の部品組付装置では、組付治具に、上下両端が開口し長手方向中間部が屈曲する筒状のダクトが設けられている。この組付治具に、遊技盤が前面側を上に向けた状態で載置されると、ダクトの先端開口部が遊技盤の裏面側に対応して遊技盤の取付孔に対向するようになっている。そして、ダクトの基端開口部には、吸引機が連結可能とされている。
【００２４】
配線コードを一体に有する部品を、遊技盤の前面側の所定位置に位置決めして固定する際には、遊技盤を前面側が上に向いた状態で組付治具に載置し、ダクトの基端開口部に吸引機を連結させて作動させる。そして、部品の配線コードを遊技盤の前面側から取付孔に挿通させる。ここで、遊技盤の裏面側にはダクトの先端開口部が配置されているので、取付孔に挿通される配線コードはダクトの内部に吸引される。このため、配線コードはダクトの内壁に沿って吸引される。そして、配線コードを一体に有する部品も、遊技盤の裏面側から引き込まれ、遊技盤の前面側の所定位置に位置決めされる。
【００２５】
ここで、ダクトは長手方向中間部が屈曲しているので、配線コードは屈曲しているダクトの内壁に沿って吸引され、配線コード自体も屈曲する。これにより、配線コードがダクトの内壁に干渉して摩擦を生じ、配線コードのダクトからの抜け出しが防止される。
【００２６】
これにより、ダクトの基端開口部に連結している吸引機が、停止もしくは基端開口部から分離されても、部品が遊技盤の所定位置に仮保持された状態を維持することができる。そして、遊技盤が載置された組付治具ごと、次工程のネジ止め工程に送れば、所定位置に正確に位置決めされて仮保持された部品が遊技盤に固定されることになり、部品が破損したり遊技盤自体が不良品になることがない。
【００２７】
なお、配線コードは、ダクトの屈曲した内壁に沿って屈曲することによってダクトに保持される構成であるので、ネジ止め工程が終了して遊技盤を組付治具から降ろす際には、配線コードに所定の力を加えればダクトから引き抜くことができる。また、ダクトの屈曲した部分の数を増やしたり、曲率を変更すれば、配線コードの保持力を適切な状態に調節することができる。
【００２８】
このように、請求項３記載の遊技機の部品組付装置では、遊技機の遊技盤に配線コードを一体に有する部品を組付ける際に、部品を遊技盤の所定位置に確実に位置決めして保持することができる。
【００２９】
請求項４記載の発明に係る遊技機の部品組付装置は、請求項３記載の遊技機の部品組付装置において、前記ダクトの内側に設けられ、前記ダクトに引き込まれた前記配線コードに接触して前記配線コードの前記ダクトからの抜け出しを防止する抜出防止手段を有する、ことを特徴としている。
【００３０】
請求項４記載の発明に係る遊技機の部品組付装置では、ダクトの内側に抜止防止手段が設けられている。この抜止防止手段は、ダクトの内部に引き込まれた配線コードに接触して、配線コードのダクトからの抜け出しを防止する。これにより、配線コードを更に確実に保持することができる。
【００３１】
このように、請求項４記載の遊技機の部品組付装置は、配線コードがダクトに確実に保持さるので、部品を遊技盤の所定位置に確実に保持することができる。
【００３２】
【発明の実施の形態】
図４には、本発明の実施の形態に係る部品組付装置１０が適用される遊技機としてのパチンコ機５０が正面図により示されている。
【００３３】
パチンコ機５０は、遊技盤５２を備えている、この遊技盤５２における円弧状のガイドレール５４で囲まれた領域が遊技領域であるゲージ部５６とされている。ゲージ部５６には、全面に渡って複数の釘（図示省略）が打ち込まれ、ガイドレール５４を通って打ち出されたパチンコ球がこの釘に当たって跳ねたり、釘によって形成される案内路に案内されながら、落下していくようになっている。また、この釘の他、ゲージ部５６に向かって左右対称の位置には、風車５８が取り付けられており、パチンコ球を予期しない方向へ方向転換させるようになっている。
【００３４】
さらに、ゲージ部５６には、部品である複数の入賞口６０が設けられ、この入賞口６０にパチンコ球が入ることにより、所定数のパチンコ球が遊技者に払い出しされるようになっている。
【００３５】
このようなゲージ部５６は、ほぼ左右対称とされており、この中央部には部品である特別図柄変動装置６２が配置され、その表示部６４が露出されている、この表示部６４の下方には特別図柄変動装置６２を始動させるための部品である第１の始動口としての特別図柄始動入賞口６６が設けられている。
【００３６】
特別図柄始動入賞口６６のさらに下方には、部品である大入賞口６８が配置され、特別図柄変動装置６２での所謂大当たりの表示状態で所定時間開放され、大量のパチンコ球を入賞させることができる構成となっている。
【００３７】
また、ゲージ部５６には、第２の始動口としての部品である普通図柄始動領域７０と、０〜９までの一桁の数字を表示可能な普通図柄表示部７２とが設けられており、普通図柄始動領域７０にパチンコ球が入賞すると、普通図柄表示部７２の表示が変動し、所定の当たり数字になると、前記特別図柄始動入賞口６６に設けられた可動部としての電動チューリップ７４が所定時間開放するようになっている。この電動チューリップ７４の開放により、特別図柄始動入賞口６６への入賞の確率が物理的に高まることになる。
【００３８】
上記ゲージ部５６の下部にはパネル７６が設けられており、このパネル７６の前面側にはパチンコ球を発射するためのハンドル７８と、パチンコ球を受ける受け皿７９とが設けられている。ハンドル７８は、パネル７６の内部から突出された回転軸（図示省略）に取り付けられており、この回転軸を中心に回転可能とされている。すなわち、遊技者がこのハンドル７８を把持して回転することで、パネル７６内部に設けられた発射装置（図示省略）が稼動するように構成されている。なお、この回転には、付勢力が付与されており、遊技者が手を離すと自動的にもとの位置に戻る構造となっている。また、パチンコ球の発射強度はハンドル７８の回転角度に基づいて設定されるようになっている。
【００３９】
次に、遊技盤５２に部品を位置決めする部品の位置決め工程について、図３に基づき説明する。図３には、遊技盤５２の組立ライン１５０において、部品の位置決め工程の位置に、後述する部品組付装置１０の構成部材とされる組付治具１２が配置された状態が斜視図により示されている。
【００４０】
組立ライン１５０は、ベルトコンベア１５２を備えている。ベルトコンベア１５２の幅方向中央部には、帯状の搬送ベルト１５４が、ベルトコンベア１５２の長手方向に沿って２本設けられている。搬送ベルト１５４の上には、前記組付治具１２が載置されており、ベルトコンベア１５２に沿って移動可能とされている。この組付治具１２の上部には、部品が組付けられる前の遊技盤５２が前面側を上に向けた状態で載置されており、この遊技盤５２のゲージ部５６には、所定の部品を取り付けるための遊技盤５２を板厚方向に貫通した取付孔が複数形成されている。図３において、取付孔８０は入賞口６０の１つに対応しており、取付孔８２は特別図柄変動装置６２に対応しており、そして、取付孔８４は特別図柄始動入賞口６６に対応している。
【００４１】
また、これらの入賞口６０、特別図柄変動装置６２、及び特別図柄始動入賞口６６は、それぞれ底部裏面側において、先端にコネクタ８６が取り付けられた配線コード８８を一体に有しており、この配線コード８８が、それぞれの部品に対応した取付孔に挿通されるようになっている。さらに、これらの入賞口６０、特別図柄変動装置６２、及び特別図柄始動入賞口６６は、底部裏面側において、遊技盤５２の所定位置に位置決する際の案内となるボス９０が突出形成されている。そして、遊技盤５２の前面側には、このボス９０に対応して位置決め孔９２が形成されている。
【００４２】
次に、部品組付装置１０について詳細に説明する。
【００４３】
図１には、部品組付装置１０の主要部が部分断面図により示されている。また、図２には、部品組付装置１０により遊技盤５２に前記入賞口６０の１つが位置決めされて保持された状態が部分断面図により示されている。
【００４４】
なお、ここでは、入賞口６０の１つと、入賞口６０の１つに対応した取付孔８０と、取付孔８０に対応して配置された、後述するダクト１８とを例にして、部品組付装置１０について説明する。
【００４５】
部品組付装置１０は、前記組付治具１２を備えている。組付治具１２は、板材で形成された底壁１４と側壁１６とを有して、上部が開口した断面矩形の箱状とされている。
【００４６】
組付治具１２の内部には、引込保持手段とされる筒状のダクト１８が設けられている。ダクト１８は、底壁固定パイプ２０と中間連結ホース２２と保持パイプ２４との３つの筒状部材で構成されている。底壁固定パイプ２０は、樹脂により断面円形に形成された筒状の部材である。底壁固定パイプ２０は、組付治具１２の底壁１４を貫通した貫通孔２５に嵌合されており、基端開口部２６とされる一端側（図１において下側）が組付治具１２の底面と同位置とされ、他端（図１において上側）が組付治具１２の内側に突出している。この底壁固定パイプ２０の突出した部分には、ゴムにより断面円形の筒状に形成された中間連結ホース２２の一端が連結されている。中間連結ホース２２は、底壁固定パイプ２０に連結された部分の近傍から、横方向（図１において右方向）に折れ曲がり、さらに中間部が底壁固定パイプ２０の方向（図１において左方向）に曲げ返されて略Ｓ字状とされている。
【００４７】
そして、この中間連結ホース２２の他端部は、樹脂により断面円形の筒状に形成された保持パイプ２６に連結されている。保持パイプ２６は、長手方向中間部が直角に屈曲しており、先端開口部２８とされる一端が上側に向けて配置され、組付治具１２に載置された遊技盤５２の、入賞口６０の１つに対応した取付孔８０に対向している。また、他端が横方向（図１において右側）に向けられて、中間連結ホース２２と連結している。この保持パイプ２６の先端側（図１において上側）は、屈曲した部分と先端開口部２８との中間部から先端開口部２８に掛けて、徐々に直径が太くされ漏斗状とされている。
【００４８】
組付治具１２の下側の床面には、ダクト１８の基端開口部２６に連結可能とされた、引込保持手段である吸引機３０が設けられている。吸引機３０は、基端開口部２６（組付治具１２の底面）に連結するためのエアシリンダー３２を有している。エアシリンダー３２は、プランジャー３４を有しており圧縮空気によりプランジャー３４が上下に移動する。
【００４９】
プランジャー３４の先端には、ゴムによりお椀型に形成されたパッド３６が、開口側をダクト１８の基端開口部２８（組付治具１２の底面）に対向させて設けられている。このパッド３６がプランジャー３４によって上方向に移動されることで、パッド３６の開口縁が組付治具１２の底面に密着して、ダクト１８の基端開口部２８とパッド３６の内部とが連通するようになっている。
【００５０】
また、パッド３６の底側（図１において下側）には、ゴムにより管状に形成されたゴムホース３８の一端が接続されており、パッド３６の内部とゴムホース３８の内部とが連通するようになっている。ゴムホース３８の他端は、モーターとファンにより負圧吸引を行うブロア４０の吸引口に接続されている。
【００５１】
パッド３６が組付治具１２の底面に密着した状態では、ダクト１８の先端開口部２８とブロア４０の吸引口とが連通するようになっており、ブロア４０が作動すると、ダクト１８の先端開口部２８には下方向（図１において矢印Ａ方向）の気流が発生する。
【００５２】
次に、本実施の形態の作用について説明する。
【００５３】
上記構成の部品組付装置１０では、図３に示すように、遊技盤の組立ライン１５０において適用される。組立ライン１５０では、ベルトコンベア１５２の搬送ベルト１５４の上に組付治具１２が載置され、さらに、組付治具１２に遊技盤５２が前面側を上に向けて載置された状態で、遊技盤５２がそれぞれの工程の位置に搬送される。図３においては、遊技盤５２に部品が位置決めされる位置決め工程の位置に遊技盤５２と組付治具１２とが配置された状態を示す。
【００５４】
なお、ここでは、入賞口６０の１つを、遊技盤５２の取付孔８０に位置決めして保持する作業について説明する。
【００５５】
先ず、図１に示すように、エアシリンダー３２に圧縮空気を送り込み、組付治具１２の底面にパッド３６を密着させると共に吸引機３０を作動させる。これにより、ダクト１８の先端開口部２８には下方向（図１において矢印Ａ方向）の気流が発生する。そして、入賞口６０の配線コード８８（コネクタ８６）を遊技盤５２の前面側から取付孔８０に挿通させる。ここで、遊技盤５２の裏面側にはダクト１８の先端開口部２８が配置されているので、取付孔８０に挿通される配線コード８８（コネクタ８６）はダクト１８に発生した気流により、ダクト１８（保持パイプ２４）の内部に引き込まれる。このため、配線コード８８は保持パイプ２４の内壁に沿って吸引される。そして、配線コード８８を一体に有する入賞口６０も、遊技盤５２の裏面側から引き込まれ、図２に示すように、入賞口６０の底部裏面側に突出形成されたボス９０が、遊技盤５２の前面側に形成された位置決め孔９２に嵌め込まれる。これにより、入賞口６０が遊技盤５２の前面側の所定位置に位置決めされて保持される。
【００５６】
ここで、保持パイプ２４は長手方向中間部が屈曲しているので、配線コード８８は屈曲している保持パイプ２４の内壁に沿って吸引され、配線コード８８自体も屈曲する。このため、配線コード８８が保持パイプ２４の内壁に干渉して摩擦を生じ、配線コード８８の保持パイプ２４からの抜け出しが防止される。
【００５７】
これにより、ダクト１８の基端開口部２６に連結している吸引機３０が、停止もしくは基端開口部２６から分離されても、入賞口６０が遊技盤５２の所定位置に仮保持された状態を維持することができる。
【００５８】
同様にして、他の入賞口６０やその他の部品（特別図柄変動装置６２、特別図柄始動入賞口６６、普通図柄始動領域７０、大入賞口６８等）が、配線コード８８（コネクタ８６）から、それぞれに対応した取付孔に挿通されると、他の入賞口６０やその他の部品（特別図柄変動装置６２、特別図柄始動入賞口６６、普通図柄始動領域７０、大入賞口６８等）は、部品組付装置１０により、遊技盤５２の所定の位置に位置決めされて保持される。
【００５９】
そして、全ての部品が遊技盤に保持された状態で、ベルトコンベア１５２を作動させて、遊技盤５２を組付治具１２と共に次工程のネジ止め工程に送れば、所定位置に正確に位置決めされて仮保持された入賞口６０等の部品が遊技盤５２に固定されることになり、入賞口６０等の部品が破損したり遊技盤５２自体が不良品になることがない。
【００６０】
このように、上記構成の部品組付装置１０では、パチンコ機５０の遊技盤５２に配線コード８８を一体に有する入賞口６０等の部品を組付ける際に、入賞口６０等の部品を遊技盤５２の所定位置である取付孔８０に確実に位置決めして保持することができる。
【００６１】
なお、上記実施の形態においては、入賞口６０の１つと、入賞口６０の１つに対応した取付孔８０と、取付孔８０に対応して配置されたダクト１８とを例にして、部品組付装置１０について説明したが、本実施の形態の部品組付装置１０は、他の部品（特別図柄変動装置６２、特別図柄始動入賞口６６、普通図柄始動領域７０、大入賞口６８等）においても、同様に、それぞれの部品の取付孔に対応してダクトが配置されており、取付孔に挿通される配線コードを引込んで保持することで、前記他の部品を遊技盤の所定位置に位置決めして保持することができるものである。
【００６２】
また、配線コード８８が、保持パイプ２４（ダクト１８）の屈曲した内壁に沿って屈曲することによって保持パイプ２４に保持される構成であるので、ネジ止め工程が終了して遊技盤５２を組付治具１２から降ろす際には、配線コード８８に所定の力を加えれば保持パイプ２４から引き抜くことができる。また、保持パイプ２４の屈曲した部分の数を増やしたり、曲率を変更すれば、配線コード８８の保持力を適切な状態に調節することができる。
【００６３】
さらに、上記実施の形態においては、保持パイプ２４の内壁と配線コード８８との摩擦により配線コード８８を保持パイプ２４に保持して、入賞口６０を遊技盤５２の所定位置に保持する構成であったが、本発明はこれに限定されず、例えば、図５（Ａ）に示すように、保持パイプ２００の内壁に、抜出防止手段とされる毛状の部材２０２を、配線コード２０４の挿入方向に斜めに突出形成して、配線コード２０４や先端のコネクタ２０６に接触させる構成とすれば、更に確実に配線コード２０４を保持パイプ２００に保持することができる。また、図５（Ｂ）に示すように、保持パイプ２０８の内壁に、抜出防止手段とされる毛状の部材２１０を垂直に突出形成して、配線コード２０４や先端のコネクタ２０６に接触させる構成としてもよい。
【００６４】
【発明の効果】
以上説明したように、本発明の遊技機の部品組付装置によれば、遊技機の遊技盤に配線コードを一体に有する部品を組付ける際に、部品を遊技盤の所定位置に確実に位置決めして保持することができる。
【図面の簡単な説明】
【図１】本発明の実施の形態に係る遊技機の部品組付装置の主要部を示す部分断面図である。
【図２】本発明の実施の形態に係る遊技機の部品組付装置により遊技盤に部品が位置決めされて保持された状態を示す部分断面図である。
【図３】本発明の実施の形態に係る遊技機の部品組付装置が適用される遊技盤の組立ラインにおいて、部品の位置決め工程の位置に組付治具が配置された状態が示す斜視図である。
【図４】本発明の実施の形態に係る遊技機の部品組付装置が適用される遊技機を示す正面図である。
【図５】本発明の実施の形態に係る遊技機の部品組付装置の他の例を示す部分断面図である。
【図６】従来例を示す部分断面図である。
【図７】従来例を示す部分断面図である。
【符号の説明】
１０          部品組付装置（遊技機の部品組付装置）
１２            組付治具
１８            ダクト（引込保持手段）
２６            基端開口部
２８            先端開口部
３０            吸引機（引込保持手段）
５０            パチンコ機（遊技機）
５２            遊技盤
６０            入賞口（部品）
６２            特別図柄変動装置（部品）
６６            特別図柄始動入賞口（部品）
６８            大入賞口（部品）
７０            普通図柄始動領域（部品）
８０            取付孔
８８            配線コード
【図１】
2004160087.tif 000003
【図２】
2004160087.tif 000004
【図３】
2004160087.tif 000005
【図４】
2004160087.tif 000006
【図５】
2004160087.tif 000007
【図６】
2004160087.tif 000008
【図７】
2004160087.tif 000009